(57)【特許請求の範囲】
【請求項１】
特定のキーを含む複数のキーから成るキー配置を表示する操作画像表示部と、
前記操作画像表示部上の使用者のキー操作を検出する検出部と、
前記検出部の検出結果に基づいて前記操作画像表示部上の複数のキーのうち次に操作される可能性のあるキーを予測する予測部と、
前記予測部により予測されたキーが前記操作画像表示部上の複数のキーのうち特定のキーの近辺にあるキーと予測された際に前記特定のキーが前記予測されたキーから遠ざかるように前記操作画像表示部上のキー配置を変更する表示制御部と、
を備えたことを特徴とする携帯情報端末。
【請求項２】
前記表示制御部は、前記操作画像表示部上のキー配置を変更した後、前記予測部により予測されたキーが前記操作画像表示部上の特定のキーから離れていると予測された場合には、前記操作画像表示部上のキー配置を初期状態のキー配置に戻すことを特徴とする請求項１に記載の携帯情報端末。
【請求項３】
前記表示制御部は、前記予測部により予測されたキーが前記操作画像表示部上の特定のキーの近辺にあるキーと予測された際に、前記操作画像表示部上のキー配置変更に代えて、前記特定のキーの押下時の有効回数を所定の複数回数に変更することを特徴とする請求項１に記載の携帯情報端末。
【請求項４】
前記表示制御部は、前記特定のキーの押下時の有効回数を変更した後、前記予測部により予測されたキーが前記操作画像表示部上の特定のキーから離れていると予測された場合には、前記特定のキーの押下時の有効回数を初期状態に戻すことを特徴とする請求項３に記載の携帯情報端末。
【請求項５】
前記特定のキーは、クリアキー又は電源キーであることを特徴とする請求項１から４のいずれか１項に記載の携帯情報端末。
【請求項６】
特定のキーを含む複数のキーから成るキー配置を表示するための操作画像表示部を有する携帯情報端末のキー配置を動的に変更する方法であって、
検出部が、前記操作画像表示部上の使用者のキー操作を検出し、
予測部が、前記検出部の検出結果に基づいて前記操作画像表示部上の複数のキーのうち次に操作される可能性のあるキーを予測し、
表示制御部が、前記予測部により予測されたキーが前記操作画像表示部上の複数のキーのうち特定のキーの近辺にあるキーと予測された際に前記特定のキーが前記予測されたキーから遠ざかるように前記操作画像表示部上のキー配置を変更することを特徴とする携帯情報端末のキー配置変更方法。
【請求項７】
前記表示制御部が、前記予測部により予測されたキーが前記操作画像表示部上の特定のキーの近辺にあるキーと予測された際に、前記操作画像表示部上のキー配置変更に代えて、前記特定のキーの押下時の有効回数を所定の複数回数に変更することを特徴とする請求項６に記載の携帯情報端末のキー配置変更方法。
【請求項８】
特定のキーを含む複数のキーから成るキー配置を表示するための操作画像表示部を有する携帯情報端末のキー配置を動的に変更するプログラムであって、
コンピュータを、
前記操作画像表示部上の使用者のキー操作を検出する検出部と、
前記検出部の検出結果に基づいて前記操作画像表示部上の複数のキーのうち次に操作される可能性のあるキーを予測する予測部と、
前記予測部により予測されたキーが前記操作画像表示部上の複数のキーのうち特定のキーの近辺にあるキーと予測された際に前記特定のキーが前記予測されたキーから遠ざかるように前記操作画像表示部上のキー配置を変更する表示制御部として機能させるための携帯情報端末のキー配置変更プログラム。
【発明の詳細な説明】
【技術分野】
【０００１】
本発明は、携帯情報端末及びそのキー配置変更方法に関し、特に、キー操作に応じてキー配置を動的に変更する携帯情報端末及びそのキー配置変更方法に関するものである。
【背景技術】
【０００２】
携帯情報端末では、通常、携帯情報端末上のキーは固定した位置に配置されている。その場合、例えば、「クリアキー」と「２キー」が隣接して配置されているため、使用者は「２キー」を押下したつもりでも意図しない「クリアキー」を押下してしまい、使用者が期待しない動作（機能終了）をする可能性がある。【０００３】
携帯情報端末等のキー配置に関する先行技術としては、例えば、特許文献１、２に記載されたものがある。特許文献１には、操作者Ｍが操作している時のタッチパネルのキー配置と操作者Ｗが操作している時のキー配置とが変化するように新たな処理が行われる度にタッチパネルのキー配置を変更することが記載されている。【０００４】
また、特許文献２には、操作画面部に表示される複数の操作キーのうち、一部の操作キーの表示態様を変更して表示することが記載されている。その他に、例えば、特許文献３には、タッチパネル入力装置においてユーザが押したボタンをより正確に特定する方法が記載されている。
【先行技術文献】
【特許文献】
【０００５】
【特許文献１】特開２００２−０３２１７６号公報
【特許文献２】特開２００８−１５８７２３号公報
【特許文献３】特開２００９−２１７４１６号公報
【発明の概要】
【発明が解決しようとする課題】
【０００６】
特許文献１には、キー配置を変更することは記載されているが、単に暗証番号の保護のためにキー配置を変更するものであり、キー誤操作による入力値のクリア等の影響を防止するものではない。【０００７】
また、特許文献２には、一部の操作キーの表示態様を変更して表示することにより必要な操作キーのみを表示する等して、個々のユーザに合わせた操作入力環境を提供して操作性を向上させようとするものであり、同様にキー誤操作による入力値のクリア等の影響を防止するものではない。【０００８】
本発明の目的は、使用者がキー操作を誤操作した場合に入力値のクリアや機能終了等をすることがなく、キー誤操作による影響を未然に防止することが可能な携帯情報端末及びそのキー配置変更方法を提供することにある。
【課題を解決するための手段】
【０００９】
本発明の第１の観点によれば、クリアキー及び電源キーを含む複数のキーから成るキー配置を表示する操作画像表示部と、前記操作画像表示部上の使用者のキー操作を検出する検出部と、前記検出部の検出結果に基づいて前記操作画像表示部上の複数のキーのうち次に操作される可能性のあるキーを予測する予測部と、前記予測部により予測されたキーが前記操作画像表示部上の複数のキーのうち特定のキーの近辺にあるキーと予測された際に前記特定のキーが前記予測されたキーから遠ざかるように前記操作画像表示部上のキー配置を変更する表示制御部とを備えた携帯情報端末が提供される。【００１０】
本発明の第２の観点によれば、特定のキーを含む複数のキーから成るキー配置を表示するための操作画像表示部を有する携帯情報端末のキー配置を動的に変更する方法であって、検出部が、前記操作画像表示部上の使用者のキー操作を検出し、予測部が、前記検出部の検出結果に基づいて前記操作画像表示部上の複数のキーのうち次に操作される可能性のあるキーを予測し、表示制御部が、前記予測部により予測されたキーが前記操作画像表示部上の複数のキーのうち特定のキーの近辺にあるキーと予測された際に前記特定のキーが前記予測されたキーから遠ざかるように前記操作画像表示部上のキー配置を変更することを特徴とする携帯情報端末のキー配置変更方法が提供される。
【発明の効果】
【００１１】
本発明によれば、使用者が端末のキー操作を誤操作した場合に入力値のクリア或いは機能自体が終了等となる誤操作による影響を未然に防止することができ、操作性を向上させることが可能となる。
【図面の簡単な説明】
【００１２】
【図１】本発明の第１の実施の形態に係る携帯情報端末の構成を示すブロック図である。
【図２】（ａ）〜（ｃ）は、図１に示す携帯情報端末のキー配置の変更例を説明する図である。
【図３】（ａ）〜（ｃ）は、図２に続き、図１に示す携帯情報端末のキー配置の変更例を説明する図である。
【図４】図１に示す携帯情報端末の動作を説明する概略フローチャートである。
【図５】本発明の第２の実施の形態に係る携帯情報端末の動作を説明する概略フローチャートである。
【発明を実施するための形態】
【００１３】
次に、本発明に係る携帯情報端末及びそのキー配置変更方法の実施の形態について、図面を参照して詳細に説明する。
【００１４】
（第１の実施の形態）
図１は、本発明の第１の実施の形態に係る携帯情報端末の構成を示すブロック図である。
【００１５】
図１に示す本実施の形態に係る携帯情報端末（無線携帯端末）１は、後述の図２の例では折り畳み式の本体（筐体）を持つ無線携帯端末で構成されているが、本発明はこれに限定されず、例えば使用者が携帯可能な大きさの本体を有し、その本体にタッチパネルが施された表示装置を設けた携帯電話機、ＰＤＡ（Personal Digital Assistant）、スマートフォン等の携帯情報端末でも適用可能である。
【００１６】
この携帯情報端末１は、端末内の各部を制御する制御部を構成するコンピュータとしてのＣＰＵ（Central Processing Unit）１０と、画面上に画像を表示する画像表示部１１と、使用者の指の位置及び動き等のキー操作に関する情報を取得可能な検知センサ２を有する検知センサ部２ａと、画面上にキー配置等の操作画像を表示する操作画像表示部５とを含む。また、この携帯情報端末１は、一般的に装備されている電源（電池）１４と、無線通信を行う無線部１５と、各種データを記憶するデータベース部１６を有する記憶部１６ａと、音声入力用のマイク１７と、音声出力用のスピーカ１８とを含む。その他の撮像用のカメラ等は省略している。
【００１７】
ＣＰＵ１０は、プログラム制御で動作するものであり、本実施の形態では記憶部１６ａ等のコンピュータ読み取り可能な記録媒体に予め設定されたプログラム（キー配置変更プログラム）を実行することにより、検知センサ２が取得した使用者のキー操作に関する情報から使用者のキー操作を特定する検出部３と、使用者のキー操作を予測する予測部４と、画像表示部１１及び操作画像表示部５の表示制御を行う表示制御部１９として、それぞれ機能する。
【００１８】
また、画像表示部１１は、携帯情報端末１の表示画面を構成するものであり、液晶ＬＣＤ（Liquid Crystal Display）１２と、タッチパネル１３とを含む。このうち、タッチパネル１３は、液晶ＬＣＤ１２に表示される表示画面上において、使用者が指等で触った場所を特定するためのもので、既知の抵抗膜方式や静電容量方式等、いずれの方式によるものでも適用可能である。
【００１９】
操作画像表示部５は、携帯情報端末１のキー配置等の操作画像を表示する表示画面を構成するものであり、液晶ＬＣＤ６と、タッチパネル７とを含む。このうち、タッチパネル７は、液晶ＬＣＤ６に表示される表示画面上において、使用者が指等で触った場所を特定するためのもので、既知の抵抗膜方式や静電容量方式等、いずれの方式によるものでも適用可能である。
【００２０】
操作画像表示部５は、液晶ＬＣＤ１２の表示画面上に、クリアキー及び電源キー（本発明の特定のキーを成す。）を含む複数のキーから成るキー配置等を表示する。また、操作画像表示部５では、後述するように予測部４により使用者が次に操作すると予測されたキーが、クリアキー又は電源キーの近辺にあるキーと予測された場合には、表示制御部１９により、クリアキー又は電源キーが予測されたキーから遠ざかるようにクリアキー又は電源キーの配置を他のキーと交換して表示する。
【００２１】
つまり、表示制御部１９は、操作画像表示部５により表示されるキー配置上の複数のキーのうち、使用者が予測されたキーを押下する際に誤ってクリアキー又は電源キーを押下しないようにクリアキー又は電源キーが予測されたキーから遠ざかるように操作画像表示部５上のキー配置を変更する。例えば、クリアキー又は電源キーの配置を変更する場合には、予測されたキーと隣接しないようにクリアキー又は電源キーのキー配置を変更するのが望ましい。この操作画像表示部５上のキー配置の変更に際し、クリアキー又は電源キーを、どの位置のキーと交換するかは、任意に設定可能である。そうすることで、クリアキー又は電源キーを誤操作する可能性が低くなり、入力値のクリア或いは機能自体の終了等の事態を未然に防止することが可能となる。
【００２２】
次に、本実施形態の動作について、図２及び図３を参照して詳細に説明する。
【００２３】
図２及び図３は、本実施の形態に係る携帯情報端末のキー配置の変更例を説明する図である。図２及び図３では一例としてメール文書作成時にキー配置を変更する例を示す。なお、図２及び図３はメール文書作成時の表示画面を示し、図面上側は図１の画像表示部１１上のメール文書作成画面、図面下側は図１の操作画像表示部５上のキー配置をそれぞれ示す。
【００２４】
図２（ａ）の状態Ａは、初期状態を示す。この初期状態では、表示制御部１９は、携帯情報端末１の操作画像表示部５に最初のキー配置（初期状態のキー配置）を表示させる。図２（ａ）の状態Ａのキー配置は、一般的なキー配置と同様である。
【００２５】
次いで、図２（ａ）の状態Ａにおいて使用者が、例えば、操作画像表示部５の４キー（た行）を押下（タッチ）したものとする。この状態を図２（ｂ）の状態Ｂに示す。この状態Ｂでは、検知センサ２は使用者によって押下されたキーを検知し、取得した使用者のキー操作に関する情報をＣＰＵ１０内の検出部３に送信する。検出部３は検知センサ２から取得した使用者のキー情報を予測部４に送信し、予測部４は検出部３より取得した使用者のキー情報に基づいて使用者が次に押下する可能性のあるキーを予測する。例えば、予測部４は、ＣＰＵ１０がＷｎｎやＴ９等の既存のプログラムを実行することにより実現される文字入力予測機能を含み、この文字入力予測機能を用いて次に使用者が押下する可能性のあるキーを予測する。
【００２６】
その場合、クリアキー或いは電源キー等の入力削除や機能自体の終了を実行するキーの近辺のキー、例えば、クリアキー又は電源キーに隣接する２キー（か行）や３キー（さ行））が次に操作されるキーと予測されたとする。この状態を図２（ｃ）の状態Ｃに示す。この状態Ｃでは、表示制御部１９は、予測されたキーの近辺にあるクリアキー或いは電源キーを、次に使用者が押下すると予測されたキー（２キー、３キー）から離れているキーと配置を交換して表示する。
【００２７】
次に、図２（ｃ）の状態Ｃにおいて使用者が予測されたキー（３キー（さ行））を押下したとする。この状態を図３（ａ）の状態Ｄに示す。この状態Ｄでは、上記と同様に予測部４は検知センサ２からのキー情報に基づいて次に押下する可能性のあるキーを予測する。その際、予測部４によりクリアキー或いは電源キー等の入力削除或いは機能自体の終了を実行するキーの近辺のキー以外、例えば、５キー（な行）が予測されたとする。この状態を図３（ｂ）の状態Ｅに示す。この状態Ｅでは、表示制御部１９は、クリアキー或いは電源キーを図２（ａ）の状態Ａと同一の初期状態のキー配置に戻す。
【００２８】
次いで、図３（ｂ）の状態Ｅにおいて５キー（な行）が押下されたとする。この状態を図３（ｃ）の状態Ｆに示す。この状態Ｆでは、予測部４はその時のキー情報に基づいて次に押下される可能性のあるキーを予測する。また、その際、クリアキー或いは電源キーの近辺にあるキーが予測されると、同様に表示制御部１９は予測キーの近辺にあるクリアキー或いは電源キーを、予測キーから離れているキーと配置を交換して表示する。以下、同様に、表示制御部１９は予測部４の予測結果に基づいてキー配置を動的に変更していく。
【００２９】
図４は、上記の携帯情報端末１のキー配置変更方法を説明するものである。
【００３０】
図４において、携帯情報端末１は、検出部３により、検知センサ２が取得した使用者のキー操作に関する情報から操作画像表示部５上の複数のキーに対する使用者のキー操作を検出し（ステップＳ１）、予測部４により、検出部３の検出結果に基づいて操作画像表示部５上の複数のキーのうち次に操作される可能性のあるキーを予測する（ステップＳ２）。その結果、予測部４により予測されたキーが操作画像表示部５上の複数のキーのうちクリアキー又は電源キーの近辺にあるキーと予測された場合（ステップＳ３：ＹＥＳ）、携帯情報端末１は、表示制御部１９により、操作画像表示部５上のクリアキー又は電源キーが予測されたキーから遠ざかるように操作画像表示部５上のクリアキー又は電源キーの配置を変更する（ステップＳ４）。
【００３１】
一方、予測部４により予測されたキーが操作画像表示部５上のクリアキー又は電源キーから離れていると予測された場合（ステップＳ３：ＮＯ）、前述のステップＳ４にて操作画像表示部５上のクリアキー又は電源キーの配置を変更した後であれば（ステップＳ５：ＹＥＳ）、携帯情報端末１は、表示制御部１９により、操作画像表示部５上のクリアキー又は電源キーの配置を初期状態の配置に戻す（ステップＳ６）。
【００３２】
以後、携帯情報端末１は、使用者のキー操作が行なわれる間（ステップＳ７：ＮＯ）、上記の動作（ステップＳ１〜Ｓ６）を繰り返し実行する。
【００３３】
従って、本実施の形態によれば、使用者が携帯情報端末１のキー操作を誤操作した場合に入力値のクリア或いは機能自体が終了等となる誤操作による影響を未然に防止することができ、操作性を向上させることが可能となる。
【００３４】
（第２の実施の形態）
第１の実施の形態では、予測されたキーがクリアキー或いは電源キーの近辺にあると予測された場合には、そのクリアキー或いは電源キーが予測キーから遠ざかるようにキー配置を変更したが、本発明はこれに限ることはない。
【００３５】
例えば、上述のように２キー（か行）や３キー（さ行）のようにクリアキー或いは電源キーの近辺のキーが予測された場合には、キー配置を変更せずにクリアキー或いは電源キーについて１回の押下（タッチ）ではなく、例えば、２回等の所定回数押下した場合のみキー操作を有効としても同様の効果が得られる。
【００３６】
その際、表示制御部１９は、クリアキー又は電源キーの有効回数を初期状態の１回から２回等の所定の複数回数に変更した後、予測部４によりクリアキー又は電源キーの近辺のキー以外、例えば、５キー（な行）が予測された場合には、クリアキー又は電源キーの有効回数を初期状態の１回に戻すようにしてもよい。
【００３７】
図５は、本実施の形態に係る携帯情報端末１のキー配置変更方法を説明するものである。なお、本実施の形態に係る携帯情報端末１の構成及び動作は、図１に示す構成及び図４に示す動作と比べると、図４に示すステップＳ４〜Ｓ６をステップＳ４ａ〜Ｓ６ａに変更した以外は全て同様である。以下、変更点のみ説明する。
【００３８】
図５において、予測部４により予測されたキーが操作画像表示部５上のクリアキー又は電源キーの近辺にあるキーと予測された場合（ステップＳ３：ＹＥＳ）、携帯情報端末１は、表示制御部１９により、操作画像表示部５上のクリアキー又は電源キーの押下時の有効回数を所定の複数回数（例えば２回）に変更する（ステップＳ４ａ）。
【００３９】
一方、予測部４により予測されたキーが操作画像表示部５上のクリアキー又は電源キーから離れていると予測された場合（ステップＳ３：ＮＯ）、前述のステップＳ４ａにて操作画像表示部５上のクリアキー又は電源キーの押下時の有効回数を所定の複数回数に変更した後であれば（ステップＳ５ａ：ＹＥＳ）、携帯情報端末１は、表示制御部１９により、操作画像表示部５上のクリアキー又は電源キーの押下時の有効回数を初期状態（例えば１回）に戻す（ステップＳ６ａ）。
【００４０】
なお、上記各実施の形態では、操作画像表示部５上の特定のキーとしてクリアキー又は電源キーを用いた場合を説明しているが、本発明は必ずしもこれに限定されず、使用者の誤操作による影響を未然に回避するため、特定のキーとしてクリアキー又は電源キー以外のキーを用いることも可能である。特定のキーの設定方法としては、例えばＣＰＵ１０が参照する初期設定値としてクリアキー又は電源キーを予め設定し、ユーザ設定値として使用者が任意のキーに変更し得るものであってもよい。
【００４１】
上記の実施形態の一部又は全部は、以下の付記のようにも記載されうるが、以下には限定されない。
【００４２】
（付記１）特定のキーを含む複数のキーから成るキー配置を表示する操作画像表示部と、前記操作画像表示部上の使用者のキー操作を検出する検出部と、前記検出部の検出結果に基づいて前記操作画像表示部上の複数のキーのうち次に操作される可能性のあるキーを予測する予測部と、前記予測部により予測されたキーが前記操作画像表示部上の複数のキーのうち特定のキーの近辺にあるキーと予測された際に前記特定のキーが前記予測されたキーから遠ざかるように前記操作画像表示部上のキー配置を変更する表示制御部と、を備えたことを特徴とする携帯情報端末。
【００４３】
（付記２）前記表示制御部は、前記操作画像表示部上のキー配置を変更した後、前記予測部により予測されたキーが前記操作画像表示部上の特定のキーから離れていると予測された場合には、前記操作画像表示部上のキー配置を初期状態のキー配置に戻すことを特徴とする付記１に記載の携帯情報端末。
【００４４】
（付記３）前記表示制御部は、前記予測部により予測されたキーが前記操作画像表示部上の特定のキーの近辺にあるキーと予測された際に、前記操作画像表示部上のキー配置変更に代えて、前記特定のキーの押下時の有効回数を所定の複数回数に変更することを特徴とする付記１に記載の携帯情報端末。
【００４５】
（付記４）前記表示制御部は、前記特定のキーの押下時の有効回数を変更した後、前記予測部により予測されたキーが前記操作画像表示部上の特定のキーから離れていると予測された場合には、前記特定のキーの押下時の有効回数を初期状態に戻すことを特徴とする付記３に記載の携帯情報端末。
【００４６】
（付記５）前記特定のキーは、クリアキー又は電源キーであることを特徴とする付記１から４のいずれか１項に記載の携帯情報端末。
【００４７】
（付記６）特定のキーを含む複数のキーから成るキー配置を表示するための操作画像表示部を有する携帯情報端末のキー配置を動的に変更する方法であって、検出部が、前記操作画像表示部上の使用者のキー操作を検出し、予測部が、前記検出部の検出結果に基づいて前記操作画像表示部上の複数のキーのうち次に操作される可能性のあるキーを予測し、表示制御部が、前記予測部により予測されたキーが前記操作画像表示部上の複数のキーのうち特定のキーの近辺にあるキーと予測された際に前記特定のキーが前記予測されたキーから遠ざかるように前記操作画像表示部上のキー配置を変更することを特徴とする携帯情報端末のキー配置変更方法。
【００４８】
（付記７）前記表示制御部が、前記予測部により予測されたキーが前記操作画像表示部上の特定のキーの近辺にあるキーと予測された際に、前記操作画像表示部上のキー配置変更に代えて、前記特定のキーの押下時の有効回数を所定の複数回数に変更することを特徴とする付記６に記載の携帯情報端末のキー配置変更方法。
【００４９】
（付記８）特定のキーを含む複数のキーから成るキー配置を表示するための操作画像表示部を有する携帯情報端末のキー配置を動的に変更するプログラムであって、コンピュータを、前記操作画像表示部上の使用者のキー操作を検出する検出部と、前記検出部の検出結果に基づいて前記操作画像表示部上の複数のキーのうち次に操作される可能性のあるキーを予測する予測部と、前記予測部により予測されたキーが前記操作画像表示部上の複数のキーのうち特定のキーの近辺にあるキーと予測された際に前記特定のキーが前記予測されたキーから遠ざかるように前記操作画像表示部上のキー配置を変更する表示制御部として機能させるための携帯情報端末のキー配置変更プログラム。
【００５０】
以上、各実施の形態を参照して本願発明を説明したが、本願発明は上記各実施の形態に限定されるものではない。本願発明の構成や詳細には、本願発明のスコープ内で当業者が理解し得る様々な変更をすることができる。
【００５１】
この出願は、２０１０年１月２７日に出願された日本出願特願２０１０−０１５５１２号を基礎とする優先権を主張し、その開示の全てをここに取り込む。
【産業上の利用可能性】
【００５２】
本発明は、携帯情報端末及びそのキー配置変更方法の用途に適用可能である。特に、本発明は、キー操作に応じてキー配置を動的に変更する携帯情報端末及びそのキー配置変更方法の用途に適用可能である。
【符号の説明】
【００５３】
１  携帯情報端末（無線携帯端末）
２  検知センサ
２ａ  検知センサ部
３  検出部
４  予測部
５  操作画像表示部
６、１２  液晶ＬＣＤ
７、１３  タッチパネル
１０  ＣＰＵ
１１  画像表示部
１４  電源
１５  無線部
１６  データベース部
１６ａ  記憶部
１７  マイク
１８  スピーカ
１９  表示制御部
【図１】
0005594652.tif 000002
【図２】
0005594652.tif 000003
【図３】
0005594652.tif 000004
【図４】
0005594652.tif 000005
【図５】
0005594652.tif 000006